【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
方法であって、
エネルギーストレージデバイス内に海底上の坑井近傍で電気エネルギーを貯蔵することであって、前記エネルギーストレージデバイスは、貯蔵された電気エネルギーを提供して坑井制御機器を動作させるように構成されている、ことと、
油圧エネルギーストレージタンク内に前記海底上の前記坑井近傍で油圧エネルギーを貯蔵することであって、前記油圧エネルギーストレージタンクは、貯蔵された油圧エネルギーを提供して前記坑井制御機器を動作させるように構成されている、ことと、
前記貯蔵された電気エネルギーからポンプを動作させて前記貯蔵された油圧エネルギーを発生させることと、
前記貯蔵された電気エネルギーから低電力域において前記坑井制御機器を動作させることと、少なくとも前記貯蔵された油圧エネルギーから高電力域において前記坑井制御機器を動作させることとにより、前記貯蔵された電気エネルギーおよび前記貯蔵された油圧エネルギーの組み合わせを用いて、前記坑井制御機器をアクティブ化することと
を含む、方法。
【請求項２】
前記貯蔵された電気エネルギーおよび前記貯蔵された油圧エネルギーの組み合わせを用いて、前記坑井制御機器をアクティブ化するステップは、
前記貯蔵された電気エネルギーを用いて第１の期間中前記坑井制御機器をアクティブ化することと、
前記貯蔵された油圧エネルギーを用いて第２の期間中前記坑井制御機器をアクティブ化することと
を含む、請求項１に記載の方法。
【請求項３】
前記坑井制御機器をアクティブ化するステップは、剪断ラムをアクティブ化することを含み、前記剪断ラムをアクティブ化することは、
前記貯蔵された電気エネルギーを用いて前記剪断ラムをアクティブ化して、前記剪断ラムを第１の距離だけ移動させることと、
前記貯蔵された油圧エネルギーを用いて前記剪断ラムをアクティブ化して、前記剪断ラムを第２の距離だけ移動させること
を含む、請求項１に記載の方法。
【請求項４】
前記第１の距離は、前記第２の距離未満である、請求項３に記載の方法。
【請求項５】
前記第１の距離は、障害物に接触する前に、前記剪断ラムが横断する経路の部分である、請求項３に記載の方法。
【請求項６】
前記障害物は、ドリルパイプである、請求項５に記載の方法。
【請求項７】
前記海底上の前記坑井近傍に油圧媒体を貯蔵することと、
前記貯蔵された電気エネルギーによって給電される海中ポンプを用いて、前記油圧媒体を加圧することと
をさらに含む、請求項１に記載の方法。
【請求項８】
遠隔操作式の船（ＲＯＶ）から油圧媒体を受容することをさらに含む、請求項７に記載の方法。
【請求項９】
遠隔操作式の船（ＲＯＶ）から加圧された油圧媒体を受容することと、
前記受容された加圧された油圧媒体から海中ポンプを発電機として動作させて前記貯蔵された電気エネルギーを再充電することと
をさらに含む、請求項１に記載の方法。
【請求項１０】
前記坑井制御機器内で再使用されるために、油圧媒体を戻すことをさらに含む、請求項１に記載の方法。
【請求項１１】
前記坑井近傍のセンサからデータを受信することと、
前記センサから受信されたデータに基づいて、前記坑井制御機器をアクティブ化することと
をさらに含む、請求項１に記載の方法。
【請求項１２】
一定周期の間、前記センサからのデータを記録することと、
前記記録されたデータを、所定のイベントシグネチャおよび履歴イベントシグネチャのうちの少なくとも１つと比較することと、
少なくとも部分的に前記比較するステップに基づいて、前記坑井制御機器に関わるイベントが生じたことを判定することと
をさらに含む、請求項１１に記載の方法。
【請求項１３】
装置であって、
坑井制御機器と
前記坑井制御機器に連結され、貯蔵された電気エネルギーを提供して前記坑井制御機器を動作させるように構成されている海中電力供給源と、
貯蔵された油圧エネルギーを提供するように構成されている油圧リザーバと、
前記油圧リザーバに連結され、かつ前記坑井制御機器に連結されている油圧ラインであって、前記油圧ラインは、前記貯蔵された油圧エネルギーを前記坑井制御機器に供給するように構成されている、油圧ラインと、
前記貯蔵された電気エネルギーから低電力域において前記坑井制御機器を動作させることと、少なくとも前記貯蔵された油圧エネルギーから高電力域において前記坑井制御機器を動作させることとにより、前記貯蔵された電気エネルギーおよび前記貯蔵された油圧エネルギーの組み合わせを用いて、前記坑井制御機器を動作させるように構成されている制御システムと
を備える、装置。
【請求項１４】
前記制御システムは、
前記貯蔵された電気エネルギーを用いて第１の期間中前記坑井制御機器を動作させることと、
前記貯蔵された油圧エネルギーを用いて第２の期間中前記坑井制御機器を動作させることと
を行うように構成されている、請求項１３に記載の装置。
【請求項１５】
前記制御システムは、剪断ラムを動作させるように構成され、前記制御システムは、
前記貯蔵された電気エネルギーを使用して、前記海中電力供給源を動作させて前記剪断ラムを第１の距離だけ移動させるステップと、
前記貯蔵された油圧エネルギーを使用して、油圧アクチュエータを動作させて前記剪断ラムを第２の距離だけ移動させるステップと
を行うことによって前記剪断ラムを動作させるように構成されている、請求項１３に記載の装置。
【請求項１６】
油圧弁と、
前記油圧弁に連結されている油圧アクチュエータと
をさらに備え、
前記制御システムは、前記油圧アクチュエータに連結され、かつ前記海中電力供給源に連結され、前記制御システムは、前記海中電力供給源からの貯蔵された電気エネルギーと、前記油圧ラインからの貯蔵された油圧エネルギーとを用いて前記坑井制御機器を動作させるように構成されている、請求項１３に記載の装置。
【請求項１７】
前記制御システムに連結されているセンサをさらに備え、前記制御システムは、少なくとも部分的に、前記センサから受信されたデータに基づいて、前記坑井制御機器をアクティブ化するように構成されている、請求項１３に記載の装置。
【請求項１８】
前記制御システムは、
一定周期の間、前記センサからのデータを記録することにより、記録されたデータを取得することと、
前記記録されたデータを、所定のイベントシグネチャおよび履歴イベントシグネチャのうちの少なくとも１つと比較することと、
少なくとも部分的に前記比較するステップに基づいて、前記坑井制御機器に関わるイベントが生じたことを判定することと
を行うようにさらに構成されている、請求項１３に記載の装置。
【請求項１９】
前記油圧ラインに連結され、かつ前記海中電力供給源に連結されている海中ポンプをさらに備え、前記海中ポンプは、前記海中電力供給源内の前記貯蔵された電気エネルギーから前記油圧ライン内に油圧圧力を発生させるように構成されている、請求項１３に記載の装置。
【請求項２０】
前記海中ポンプは、前記油圧リザーバの油圧媒体を加圧して前記油圧ラインを動作させるように構成されている、請求項１９に記載の装置。
【請求項２１】
遠隔操作式の船から油圧媒体を受容するように構成されているポートをさらに備える、請求項１３に記載の装置。
【請求項２２】
遠隔操作式の船（ＲＯＶ）から加圧された油圧媒体を受容するように構成されているポートをさらに備え、海中ポンプは、発電機として動作し、前記受容された加圧された油圧媒体から前記海中電力供給源を再充電するように構成されている、請求項１３に記載の装置。